(57)【特許請求の範囲】
【請求項１】
切断エッジが、柄軸線に対して横断方向にあるヘッド軸線にそって延長する少なくとも一つの刃部材をもつかみそりヘッドとかみそり柄とを有するかみそりにおいて、
前記かみそり柄のそれ自体にフロント端部を設け、前記フロント端部が二又の一対のフォークアームを形成し、
前記かみそりヘッドに取外し可能且つ接続可能である末端部が、この一対のフォークアームの各末端部であり、この末端部が前記かみそりヘッドの個々の端に隣接する位置で前記かみそりヘッドに対して前記取外し可能な固定関係で接続され、
前記フォークアームそれぞれの前記末端部に設けた爪手段で前記取外しが可能であり、
前記フォークアームのそれぞれが可撓性かつ弾性をもつ部分を有し、
シェービング時、前記かみそりヘッドによって前記末端部に回動力が作用したときに、前記可撓性かつ弾性をもつ前記部分が前記ヘッド軸線に平行な軸線を中心にして変形し、前記回動力を取り去ると前記末端部が通常の位置に回復する構成を有し、
前記フォークアームのそれぞれに設けた前記取外し可能な前記爪手段が、前記可撓性かつ弾性をもつ前記部分よりも、前記フォークアームのさらに先端側に有り、且つ前記かみそりヘッドの前記固定関係および前記取外しに適用されることを特徴とするかみそり。
【請求項２】
上記かみそりヘッドが、上記フォークアームの末端部に対して固定されるように、フォ
ームアームの末端部の対応する取り付け部分を受け取るかみそり柄の取り付け手段を有し
、シェービング時上記かみそりヘッドに回動力が作用したときに、上記末端部が、各フォ
ークアーム上の可撓性末端部分によって上記ヘッド軸線に平行な軸線を中心にして回動す
る、請求項１記載のかみそり。
【請求項３】
上記かみそりヘッドの上記取り付け手段が、リア当接面に形成したアンダーカット開口
からなり、そしてフォークアームの対応する各取り付け部分が、フロント当接面から外側
に突き出た爪要素からなり、上記のフロントおよびリア当接面が相互に当接するとともに
、上記爪要素が上記アンダーカット開口に係合する、請求項２記載のかみそり。
【請求項４】
上記かみそりヘッドが、上記フォークアームの末端部に対して固定されるように、フォ
ームアームの末端部の対応する取り付け部分を受け取るかみそり柄の取り付け手段を有し
、シェービング時上記かみそりヘッドに回動力が作用したときに、上記末端部が、各フォ
ークアーム上の可撓性末端部分によって上記ヘッド軸線に平行な軸線を中心にして回動し
、そして上記かみそりヘッドが、切断エッジの方向にあるシェービング面およびこのシェ
ービング面に対向する反対面を有し、上記かみそり柄が、シェービング面と反対面との間
において上記かみそりヘッドに接続されたフロント端部を有し、上記シェービング面に対
して接線方向にある平面から角度をもって上記かみそり柄が離間した、請求項１記載のかみそり。
【請求項５】
上記かみそりヘッドが、切断エッジの方向にあるシェービング面およびこのシェービン
グ面に対向する反対面を有し、上記かみそり柄が、シェービング面と反対面との間におい
て上記かみそりヘッドに接続されたフロント端部を有し、上記シェービング面に対して接
線方向にある平面から角度をもって上記かみそり柄が離間するとともに、上記かみそり柄
の上記フロント端部が上記平面から湾曲して離間する、請求項４記載のかみそり。
【請求項６】
上記シェービング面に対して接線方向にある平面から角度をもって上記かみそり柄が離
間し、上記かみそり柄の上記フロント端部が上記平面から湾曲して離間するとともに、上
記シェービング面に対して接線方向にある上記平面から上記フロント端部が湾曲して離間
する、請求項５記載のかみそり。
【発明の詳細な説明】
【技術分野】
【０００１】
本発明は概してかみそりに関し、特に、かみそり刃、かみそりヘッド(これは使い捨て
であってもよい)、およびかみそり柄に関する。
【背景技術】
【０００２】
柄と使い捨てヘッドを有するかみそりはよく知られている。かみそりヘッドは、通常、
３枚の平行な刃部材を有するであろう。このヘッドは、それが柄に対して揺れ動くような
方式で柄に取り付け可能である。
【発明の開示】
【発明が解決しようとする課題】
【０００３】
本発明は請求項１に記載のかみそりヘッドを提供する。
【課題を解決するための手段】
【０００４】
一態様に関して、本発明はかみそり刃を提供し、この刃は切断エッジから離れるよう連
続的に湾曲する。
【０００５】
他の態様に関して、本発明はかみそりヘッドを提供し、このヘッドにおいては、第１の
ヘッド部品と第２のヘッド部品との間に複数の刃が固定される。
【０００６】
他の態様に関して、本発明はかみそり柄を提供し、この柄は、柄軸線と交差する軸線を
中心とする柄の末端部の回動を可能にする溝を有する。
【０００７】
他の態様に関して、本発明はかみそりを提供し、このかみそりにおいて、かみそりヘッ
ドは二又柄に対して取り外し可能に固定される。
【０００８】
他の態様に関して、本発明はかみそりヘッドを提供し、このヘッドにおいては、複数の
刃がフレキシブルなフィンガーによって離間されて配置されている。
【０００９】
特に、一態様において、本発明は複数の刃部材を具備するかみそりヘッドを提供し、刃
部材のそれぞれは真っ直ぐなフロント切断エッジおよびリアエッジを有し、切断エッジは
相互に平行でありかつ切断平面内に存在する。各刃部材は、切断平面の方を向く外面と、
逆側の内面とを、外面および内面間の中間の仮想中央面と共に有する。刃部材の中央面は
、切断平面から離れるよう同じ方向に、切断エッジからリアエッジに向かって連続的に湾
曲している。
【００１０】
他の態様に関して、本発明は、切断エッジを有する少なくとも一つの刃部材と、それを
経て切断エッジが接触可能である開口部を形成するフレームとを備えたかみそりヘッドを
提供する。フレームは、それに向けて切断エッジが方向付けられた案内要素およびこの案
内要素の逆側に位置する追従要素を具備し、案内要素および追従要素の少なくとも一つは
長手方向溝を有し、この中にはシェービング中、潤滑液が溜まる。
【００１１】
他の態様に関して、本発明はかみそり用のかみそり柄を提供する。このかみそりは、柄
軸線と交差するヘッド軸線に沿って延在する切断エッジを備えた少なくとも一つの刃部材
を有するかみそりヘッドを備える。かみそり柄はフロント端部を有し、その末端部はヘッ
ドに対して連結可能であるか、あるいは連結される。フロント端部は、ヘッド軸線に対し
て平行な回動軸線を中心とする末端部の回動を可能にする溝を有する。溝は弾性変形可能
な材料を含み、この材料は、シェービング中、かみそりヘッドによって末端部に回動力が
加えられた際に変形させられ、そしてこの力が作用しなくなったとき末端部を通常ポジシ
ョンへと復帰させる。
【００１２】
他の態様に関して、本発明はかみそりを提供する。このかみそりは、柄と、柄軸線と交
差するヘッド軸線に沿って延在する切断エッジを備えた少なくとも一つの刃部材を有する
かみそりヘッドとを具備する。柄は、一対のフォークアームを備えた二又フロント端部を
有し、その末端部はヘッドの個々の端部に隣接するポジションでヘッドに連結される。ヘ
ッドはリア当接面にアンダーカット開口を有する。フォークアームの末端部はフロント当
接面から前方に突出する爪要素を有する。フロントおよびリア当接面は互いに当接し、か
つ爪要素は、ヘッドがフォークアームの末端部に対して固定されるようアンダーカット開
口内に係合する。末端部は、爪要素をアンダーカット開口から外しかつヘッドを柄から取
り外すことを可能とするため互いの方向に向かって移動可能であり、末端部はシェービン
グ中に回動力がかみそりヘッドに加えられた際、ヘッド軸線に対して平行な軸線を中心と
して回動可能である。
【００１３】
他の態様に関して、本発明は長尺な柄およびこの柄に連結されたヘッドを具備してなる
かみそりを提供する。ヘッドは切断エッジを有する少なくとも一つの刃部材を備え、ヘッ
ドは、それに向って切断エッジが方向付けられたシェービング面およびこのシェービング
面の逆側に位置する裏面を形成する。柄は、シェービング面と裏面との間でヘッドに連結
されるフロント端部を有する。柄は、シェービング面に接する平面から離間するよう曲が
っている。
【００１４】
好ましくかつ任意の特徴は、以下の説明および特許請求の範囲に記載されている。
【発明を実施するための最良の形態】
【００１５】
本発明について、ただ実例としてのみ、添付図面を参照してさらに説明する。
【００１６】
図はかみそりの目下の好ましい実施形態を示す。図は正確な縮尺率で描かれたものでは
ないことに留意されたい。
【００１７】
かみそりは二又の柄１および交換可能なヘッド２を具備する。柄１(これはユーザーの
肌を横切ってヘッドを引くのに使用される)は緩やかに湾曲したシャンク３を有し、その
フロント端部は二又のフロント端部４へと変化する。このフロント端部４は概してＵ字形
であり、かつフォークアーム６の対を有する。このフォークアーム６は、シャンク３を長
手方向に二分する仮想平面に関して鏡面対称である。アーム６を圧迫することにより、そ
れを内側に僅かに押しやることができる。図１においては一つのアーム６の通常ポジショ
ンが破線で左側に示されている。一方、アーム６の両方を内側に押しやったポジションは
実線で示されている。アーム６は弾性的可撓性を有し、この結果、それらは自身の通常ポ
ジションへと自然に復帰する。
【００１８】
かみそりヘッド２は３枚の刃部材７を有し、これらは互いに同一であり、しかもそれぞ
れ単一の素材薄板からなる。それは、金属、セラミック、あるいはメタロセラミック(met
alloceramic)素材であってもよい。これに代えて、刃部材は一つに接合された別個の部品
からなっていてもよい。たとえば、フロント部品は切断エッジを備え、かつリア部品はこ
のフロント部品に接合される。各刃部材７は真っ直ぐなフロント切断エッジ８およびそれ
に平行なリアエッジを有する。切断エッジ８を備えた鋭利な部分１１は別にして、刃部材
７は図示の実施形態では一定の厚みを有する。
【００１９】
切断エッジ８は切断平面１２内に存在し、かつ図示の実施形態では互いに平行である。
各刃部材７は、切断平面１２の方を向く凸状の外面１３および反対側の凹状の内面１４を
有する。外面および内面１３,１４間の中間の仮想中央面１６(図１０)は、切断平面１２
から離れるよう湾曲し、しかも図示の実施形態では円筒体のセグメント（弧部）の形態で
ある。切断エッジ８における、中央面１６と切断平面１２との間の角度αは好ましくは少
なくとも１５°であり、好ましくは多くても３０°であり、たとえば２０°である。セグ
メント角度βは好ましくは５０°から７５°までの範囲にあり、より好ましくは６０°か
ら７０°までの範囲にある。
【００２０】
刃部材７は同じように湾曲しており、かつ互いに平行に配されている。この構造は、廃
物(毛包(hair follicles)およびシェービングローション)が、(各刃の凹状面と凸状面と
を経て)ヘッドを通り抜けるのを容易にする。しかも廃物（これはシェービング面から切
断エッジ８を持ち上げようとする）が過度に溜まるのを抑止できる。この効果を高めるた
め、リアエッジ９同士の間隔を切断エッジ８同士の間隔よりも大きなものとすることがで
きる。刃部材の湾曲は、鋭利な部分１１を最適な角度でシェービング面へと位置させるこ
とを可能にする。一方、刃部材は廃物をシェービング面から離れるよう誘導する。刃部材
の湾曲断面はその長手方向強度を向上させ、かつ使用中の切断エッジの変形を最小限に抑
える。
【００２１】
刃部材７は、第１の、下側ヘッド部品１７(これはシェービング中に肌に隣接する)と、
第２の、上側ヘッド部品１８との間に保持される。ヘッド部品１７,１８はそれぞれ湾曲
刃端部サポート１９,２１を有する。これは、その間に湾曲刃部材７の個々の端部を固定
する。サポート１９,２１の湾曲は、刃部材７の固有湾曲に対して相補的なものである。
【００２２】
第１のヘッド部品１７は開口部２２を形成するフレームの形態であり、この開口部２２
を経て刃部材７の切断エッジ８は接触可能である。フレームは毛起立片の形態の案内要素
２３を具備し、この毛起立片は摩擦面２４を有する。摩擦面２４はフレームの残りの面よ
りも高い摩擦係数を有し、しかもシェービング中にかみそりヘッド２が肌を横切って引か
れるとき、肌をぴんと引っ張ろうとし、かつその経路にある毛包を起立させる。フレーム
の案内要素２３および追従要素２６の両方は個々の溝２７,２８を有し、これは予め塗布
されたシェービング剤(潤滑液)の回収および再分配を可能にする。これは、使用中にシェ
ービング面の一定の潤滑を可能にする、集められたシェービング剤クッションを提供する
ためである。複数のダクト２９は溝２８と開口部２２との間をつなぎ、シェービング中、
溝２８にシェービング剤が十分に供給された状態を維持する。
【００２３】
フレームはまた、隆起したそり３１の形態の側方要素を具備し、これは使用中、シェー
ビング面を伸ばすのを助ける。図６から最もよく分かるように、フレーム形成要素２３,
２６,３１に接するシェービング面３２の平面は、刃部材７に関する切断平面１２を越え
て存在する。これは、シェービング面に関して切断エッジ８の正確な位置決めを助ける。
図３から最もよく分かるように、長尺な柄１はシェービング面３２の平面から離れるよう
曲がっており、フロント端部４はこの平面から離れるよう湾曲している。たとえば、シャ
フト３の中央長手方向軸線とシェービング面３２との間の角度は３０°から５０°までの
範囲にあってもよく、特に約４０°である。これはユーザーがかみそりヘッド２を肌に当
てるのを容易にする。二又のフロント端部４と組み合わされると、これは使用中、特に好
都合である。
【００２４】
第２のヘッド部品１８は、フロントおよびリア部材３３,３４ならびにサイド部材３６
を有するフレームの形態である。架橋部材３７,３８がフロントおよびリア部材３３,３４
間に延在する。中央架橋部材３８およびサイド部材３６は弾性的にフレキシブルな刃サポ
ートすなわちスペーサ３９を支持する。このスペーサ３９は刃部材７間の一定の間隔を維
持し、かつシェービング中の刃部材の変形を最小限に抑える。各フレキシブルスペーサ３
９は、相対的に剛性の高いピン４０によって支持された長尺要素すなわちフィンガーの形
態である。この構造は、たとえば、ツーショット(two-shot)成形によって得られる。ヘッ
ド部品１７,１８のいずれもまた相対的に剛性の高い刃サポート４１を具備する。
【００２５】
好ましくは、第１および第２のヘッド部品１７,１８のそれぞれは、単一の一体成形部
品によって構成される。それは、ワンショット成形、ツーショット成形、あるいはマルチ
ショット成形によって製造されてもよい。だが、図に示すように、毛起立片２３を別個の
部品とすることも可能である。他の実施形態では、二つのヘッド部品１７,１８は、それ
らがクラムシェル(clam shell)形式の一体ヒンジによって連結されるよう、両方とも単一
の一体成形部品によって構成可能である。ヘッド部品を構成するのに好適な素材は熱可塑
性エラストマー(たとえば商標Santopreneのもと入手可能なものなど)である。ヘッド部品
１７,１８はたとえば超音波溶接によって一つに接合される。
【００２６】
かみそりヘッド２の第２の部品１８の各サイド部材のリア端部は、平坦なリア当接面４
３内にアンダーカット開口４２を有する。フォークアーム６の末端部はフロント当接面４
６(これもまた平坦である)から前方に突出する爪要素４４を有する。各爪要素４４はショ
ルダー４７を有し、このショルダーは開口４２内のアンダーカット面４８に対して係合す
る。一方、フロントおよびリア当接面４３,４６は互いに当接する。この方法によって、
かみそりヘッド２はフォークアーム６の末端部に対して固定される。こうした解決手法は
図１９ないし図２１に図示される。
【００２７】
かみそりヘッド２を柄１からリリースさせるため、フォークアーム６はまず互いの方向
に向って圧迫される。この結果、図２２および図２３に示すように、爪要素４４のショル
ダー４７は開口４２内部のアンダーカット面４８から係合解除される。その後、爪要素４
４は図２４および図２５に示すようにアンダーカット開口４２から引き抜かれる。
【００２８】
かみそりヘッド２はフォークアーム６の末端部に対して固定される。だが、ヘッドは、
シェービング中にかみそりヘッドに対して回動力が加えられた際、切断エッジ８に対して
平行な軸線を中心としてシャンク３に対して回動可能であることが好ましい。この目的の
ため、各フォークアーム６は横方向溝４９を有し、この溝４９は一体ヒンジ５１をあとに
残す。溝４９は柄１の二又端部４の同じ側に互いに整列している。溝４９および爪要素４
４を備えたアーム部５２は、フォークアーム６の残部と一体であってもよく、あるいは(
図２８に示すように)フォークアーム６の残部に固定されたスタブ５３を有する別体部品
であってもよい。
【００２９】
溝４９を含む部品は弾性変形可能な材料５４(たとえば熱可塑性エラストマー)で包み込
まれており、それはフレキシブルな部品の表面に付着している。図２８からわかるように
、たとえば、材料５４はフロント当接面４６の一部を形成する。溝４９内の弾性変形可能
な材料は、シェービング中にかみそりヘッド２に回動力が加えられた際、引き伸ばされ(
溝４９が開きかつかみそりヘッド２が回動することを可能にする)、かつこの力が作用し
なくなったとき、かみそりヘッド２をその通常のポジションへと復帰させる。
【００３０】
溝４９はアーム部５２の深さの概ね３／４ないし４／５を占めており、かつ当接面４６
と概ね平行なフロント壁５６、フロント壁５６から離れるよう傾斜しているリア壁５７、
および丸みを帯びたベース５８を有する。材料５４の伸縮性は、通常のシェービング力の
もとで、図２９に示すようにたとえば少なくとも４５°までの、好ましくは６５°までの
角度γの間で、ヘッド２が柄１に対して回動可能であるようなものである。
【００３１】
柄１のシャフト３は把持領域５９を備え、これはシャフト３の周りに広がっている。把
持領域５９はグリップを与えるため複数の小さな隆起部６１を有する。把持領域５９はシ
ャフト３の残部とは異なる材料から構成でき、しかも特に、より柔軟でかつより高い摩擦
係数を有するものであってもよい。柄１の本体(アーム６を含む)は弾性変形可能な材料か
ら構成されてもよく、こうすると、アーム６は全体として、親指とそれ以外の指の間で二
又部４を圧迫することによって互いの方向に向って撓ませることができる。だが、柄１の
本体は比較的剛性の高い素材から構成できる。この場合、各フォークアーム６は比較的フ
レキシブルな末端部を具備することができ、この末端部は比較的剛性の高い基部に固定さ
れかつ溝４９を備える。基本的な柄の成形はいかなる好適な素材からもなし得ることがで
き、たとえば熱可塑性エラストマー、ポリプロピレン、スチレンまたはスチレンコポリマ
ープラスチック、アルミニウムなどの鋳造金属、またはカーボンファイバーなどの複合素
材から製造することができる。熱可塑性エラストマーからなる柄は、より軟らかい熱可塑
性エラストマーからなる把持領域を持つことができる(たとえばツーショット射出成形に
よって)。カーボンファイバーから製造された柄は、たとえばアルミニウムまたは木材か
らなる把持領域を持つことができる。
【００３２】
図３０ないし図３２に示す代替的実施形態に関して、溝４９は、柄１のフロント端部４
の上側に設けられる。この結果、各溝４９内の弾性変形可能な材料５４は、回動力が加え
られた際、圧縮される。
【００３３】
さまざまな変更を本発明の範囲内でなすことができる。たとえば、かみそりヘッドは三
つの刃部材を有するものとして説明されているが、これは好ましい数であり、単一の刃部
材、一対の刃部材、あるいは四つ以上の刃部材を使用することも可能であろう。切断エッ
ジは互いにある角度をなしていてもよい。刃部材はさまざまな厚みとすることができる。
曲率半径は変更できる。特に、それは切断エッジから離れる方向に減少可能である。湾曲
した刃部材の代わりに、真っ直ぐな刃部材または屈曲した刃部材を使用することも可能で
あろう。刃部材(これは（上述したように）固有の(永久的)湾曲を備えるよう形成され、
かつ同じ湾曲を備えたサポート面にヘッド内で取り付けられる)の代わりに、ヘッド内で
の取り付けに関して要求される湾曲状態まで曲げるのに十分なほどフレキシブルな、本来
は真っ直ぐな刃部材を使用することも可能であろう。溝は柄のフロント端部を形成する単
一アームに設けることができる。かみそりヘッドの回動は、フォークアームの溝を他の好
都合な形態のヒンジで置き換えることによって達成可能である。かみそりヘッドは柄に対
して永久固定されてもよく、この場合は、刃部材が交換可能に配置されるか、あるいはか
みそり全体が使い捨てとなるであろう。
【図面の簡単な説明】
【００３４】
【図１】かみそりを底部すなわち下側から見た状態で示す図であり、これはシェービング中、肌の方を向く側である。
【図２】かみそりヘッドおよび分離された柄を備えたかみそりを上方から見た状態で示す斜視図である。
【図３】かみそりの側面図である。
【図４】図３のIV‐IV線で取った拡大断面図である。
【図５】かみそりヘッドを下側から見た状態で示す分解組立斜視図である。
【図６】かみそりヘッドを通る拡大断面図である。
【図７】刃部材およびフレキシブルな刃セパレータの底面図である。
【図８】図７のVIII‐VIII線で取った拡大断面図である。
【図９】図７に対応する斜視図である。
【図１０】刃部材の一つの切断エッジ部の拡大側面図である。
【図１１】刃部材の特定の一つを通る断面図である。
【図１２】下方から見た状態での、かみそりヘッドの第１の下側部品の斜視図である。
【図１３】第１の部品の底面図である。
【図１４】図１３のXIV‐XIV線で取った拡大断面図である。
【図１５】かみそりヘッドの第２の上側部品の底面図である。
【図１６】図１５のXVI‐XVI線で取った拡大断面図である。
【図１７】第２の部品の端面図である。
【図１８】図１７のXVIII‐XVIII線で取った断面図である。
【図１９】かみそりの側面図である。
【図２０】図１９のXX‐XX線で取った断面図である。
【図２１】図２０に示す細部XXIの拡大図である。
【図２２】図２０と同様の図であるが、爪要素はかみそりヘッドのアンダーカット開口から係合解除されている。
【図２３】図２２に示す細部XXIII‐XXIIIの拡大図である。
【図２４】図２０および図２２と同様の図であるが、係合解除された爪はアンダーカット開口から引き抜かれている。
【図２５】図２４に示す細部XXV‐XXVの拡大図である。
【図２６】下方から見た状態での、溝形成部が被覆されていない柄の二又端部の斜視図である。
【図２７】図２６に示す細部XXVII‐XXVIIの拡大図である。
【図２８】かみそりヘッドおよび柄の一つのフォークアームを通る断面図である。
【図２９】図２８に対応する側面図であるが、ヘッドはその最大実用範囲まで回動した状態である。
【図３０】図２６と同様の図であるが、かみそり柄の他の実施形態を示している。
【図３１】図２７と同様の図であるが、かみそり柄の他の実施形態を示している。
【図３２】図２８と同様の図であるが、かみそり柄の他の実施形態を示している。
【符号の説明】
【００３５】
１  柄
２  ヘッド
３  シャンク
４  二又フロント端部
６  フォークアーム
７  刃部材
８  フロント切断エッジ
９  リアエッジ
１１  鋭利部分
１２  切断平面
１３  外面
１４  内面
１６  仮想中央面
１７  下側ヘッド部品
１８  上側ヘッド部品
１９,２１  湾曲刃端部サポート
２２  開口部
２３  案内要素
２４  摩擦面
２６  追従要素
２７,２８  溝
２９  ダクト
３１  そり
３２  シェービング面
３３  フロント部品
３４  リア部材
３６  サイド部材
３７,３８  架橋部材
３９  スペーサ
４０  ピン
４１  刃サポート
４２  アンダーカット開口
４３  リア当接面
４４  爪要素
４６  フロント当接面
４７  ショルダー
４８  アンダーカット面
４９  横方向溝
５１  一体ヒンジ
５２  アーム部
５３  スタブ
５４  弾性変形可能な材料
５６  フロント壁
５７  リア壁
５８  ベース
５９  把持領域
６１  隆起部
【図１】
0005052473.tif 000002
【図２】
0005052473.tif 000003
【図３】
0005052473.tif 000004
【図４】
0005052473.tif 000005
【図５】
0005052473.tif 000006
【図６】
0005052473.tif 000007
【図７】
0005052473.tif 000008
【図８】
0005052473.tif 000009
【図９】
0005052473.tif 000010
【図１０】
0005052473.tif 000011
【図１１】
0005052473.tif 000012
【図１２】
0005052473.tif 000013
【図１３】
0005052473.tif 000014
【図１４】
0005052473.tif 000015
【図１５】
0005052473.tif 000016
【図１６】
0005052473.tif 000017
【図１７】
0005052473.tif 000018
【図１８】
0005052473.tif 000019
【図１９】
0005052473.tif 000020
【図２０】
0005052473.tif 000021
【図２１】
0005052473.tif 000022
【図２２】
0005052473.tif 000023
【図２３】
0005052473.tif 000024
【図２４】
0005052473.tif 000025
【図２５】
0005052473.tif 000026
【図２６】
0005052473.tif 000027
【図２７】
0005052473.tif 000028
【図２８】
0005052473.tif 000029
【図２９】
0005052473.tif 000030
【図３０】
0005052473.tif 000031
【図３１】
0005052473.tif 000032
【図３２】
0005052473.tif 000033